【手続補正書】
【提出日】平成17年7月1日(2005.7.1)
【手続補正１】
【補正対象書類名】明細書
【補正対象項目名】発明の名称
【補正方法】変更
【補正の内容】
【発明の名称】排気ガス浄化装置の排気ガス流れ制御部材及び排気ガス浄化装置
【手続補正２】
【補正対象書類名】明細書
【補正対象項目名】特許請求の範囲
【補正方法】変更
【補正の内容】
【特許請求の範囲】
【請求項１】
内燃機関の排気管の途上に設けられたケーシング内にフィルタを配置してなる排気ガス浄化装置において使用されるものであって、フィルタ外周部への排気ガスの流れを相対的に増加させるべく、前記フィルタの端面付近に配設される排気ガス浄化装置の排気ガス流れ制御部材。
【請求項２】
前記排気ガス流れ制御部材は、前記ケーシング内において前記フィルタの上流側端面から所定距離だけ離間した位置に配設されることを特徴とする請求項１に記載の排気ガス浄化装置の排気ガス流れ制御部材。
【請求項３】
前記排気ガス流れ制御部材は、前記フィルタの上流側端面から５ｍｍ〜１００ｍｍ離間した位置に配設されることを特徴とする請求項２に記載の排気ガス浄化装置の排気ガス流れ制御部材。
【請求項４】
前記排気ガス流れ制御部材における上流側端面は、前記排気管側から供給されてくる排気ガスの流れ方向に対して、所定の角度をなしていることを特徴とする請求項２または３に記載の排気ガス浄化装置の排気ガス流れ制御部材。
【請求項５】
前記排気ガス流れ制御部材は、自身の下流側端面に向かって広くなるようなテーパ面を備えることを特徴とする請求項４に記載の排気ガス浄化装置の排気ガス流れ制御部材。
【請求項６】
前記ケーシングの軸線方向からみた場合において、前記フィルタに対する排気ガス流れ制御部材の面積率は、６０％〜９６％であることを特徴とする請求項１乃至５のいずれか１項に記載の排気ガス浄化装置の排気ガス流れ制御部材。
【請求項７】
内燃機関の排気管の途上に設けられたケーシング内にフィルタを配置してなる排気ガス浄化装置において、フィルタ外周部への排気ガスの流れを相対的に増加させるべく、前記フィルタの端面付近に排気ガス流れ制御部材を配設したことを特徴とする排気ガス浄化装置。
【請求項８】
前記排気ガス流れ制御部材は、前記フィルタの上流側端面から５ｍｍ〜１００ｍｍ離間した位置に配設されることを特徴とする請求項７に記載の排気ガス浄化装置。
【請求項９】
前記排気ガス流れ制御部材における上流側端面は、前記排気管側から供給されてくる排気ガスの流れ方向に対して、所定の角度をなしていることを特徴とする請求項７または８に記載の排気ガス浄化装置。
【請求項１０】
前記排気ガス流れ制御部材は、自身の下流側端面に向かって広くなるようなテーパ面を備えることを特徴とする請求項９に記載の排気ガス浄化装置。
【請求項１１】
前記ケーシングの軸線方向からみた場合において、前記フィルタに対する排気ガス流れ制御部材の面積率は、６０％〜９６％であることを特徴とする請求項７乃至１０のいずれか１項に記載の排気ガス浄化装置。
【請求項１２】
前記フィルタの外周面と前記ケーシングの内周面との間には、断熱材層が配設されていることを特徴とする請求項７乃至１１のいずれか１項に記載の排気ガス浄化装置。
【手続補正３】
【補正対象書類名】明細書
【補正対象項目名】０００１
【補正方法】変更
【補正の内容】
【０００１】
【発明の属する技術分野】
本発明は、排気ガス浄化装置の排気ガス流れ制御部材及び排気ガス浄化装置に関するものである。
【手続補正４】
【補正対象書類名】明細書
【補正対象項目名】０００７
【補正方法】変更
【補正の内容】
【０００７】
本発明は上記の課題に鑑みてなされたものであり、その目的は、ススの燃え残りをなくすことにより、フィルタの燃焼効率・捕集効率の向上等を図ることができる排気ガス浄化装置の排気ガス流れ制御部材及び排気ガス浄化装置を提供することにある。
【手続補正５】
【補正対象書類名】明細書
【補正対象項目名】００１２
【補正方法】変更
【補正の内容】
【００１２】
請求項５に記載の発明は、請求項４において、前記排気ガス流れ制御部材は、自身の下流側端面に向かって広くなるようなテーパ面を備えるとした。
請求項６に記載の発明は、請求項１乃至５のいずれかにおいて、前記ケーシングの軸線方向からみた場合において、前記フィルタに対する排気ガス流れ制御部材の面積率は、６０％〜９６％であるとした。
請求項７に記載の発明では、内燃機関の排気管の途上に設けられたケーシング内にフィルタを配置してなる排気ガス浄化装置において、フィルタ外周部への排気ガスの流れを相対的に増加させるべく、前記フィルタの端面付近に排気ガス流れ制御部材を配設したことを特徴とする排気ガス浄化装置をその要旨とする。請求項８に記載の発明は、請求項７において、前記排気ガス流れ制御部材は、前記フィルタの上流側端面から５ｍｍ〜１００ｍｍ離間した位置に配設される。請求項９に記載の発明は、請求項７または８において、前記排気ガス流れ制御部材における上流側端面は、前記排気管側から供給されてくる排気ガスの流れ方向に対して、所定の角度をなしている。請求項１０に記載の発明は、請求項９において、前記排気ガス流れ制御部材は、自身の下流側端面に向かって広くなるようなテーパ面を備える。請求項１１に記載の発明は、請求項７乃至１０のいずれかにおいて、前記ケーシングの軸線方向からみた場合において、前記フィルタに対する排気ガス流れ制御部材の面積率は、６０％〜９６％である。請求項１２に記載の発明は、請求項７乃至１１のいずれかにおいて、前記フィルタの外周面と前記ケーシングの内周面との間には、断熱材層が配設されている。
【手続補正６】
【補正対象書類名】明細書
【補正対象項目名】００１４
【補正方法】変更
【補正の内容】
【００１４】
つまり、請求項１，７に記載の発明によると、フィルタの端面付近に配設された排気ガス流れ制御部材が障害物となる結果、排気ガスの流れが変化し、フィルタ外周部への排気ガスの流れが相対的に増加する。従って、単位時間あたりに排気ガスの流れる量の差は、フィルタ中心部とフィルタ外周部とを比べた場合に、今までよりも小さくなる。よって、フィルタ中心部のみならずフィルタ外周部についても排気ガスから与えられる熱量が多くなり、着火温度に到達しやすくなる。このため、フィルタにおけるススの燃え残りをなくすことができる。従って、フィルタの燃焼効率・捕集効率を向上させることができるとともに、長期にわたって低圧力損失を維持することができる。
【手続補正７】
【補正対象書類名】明細書
【補正対象項目名】００１６
【補正方法】変更
【補正の内容】
【００１６】
請求項３，８に記載の発明によると、流れ制御の確実化及び装置の大型化防止が図られる。つまり、排気ガス流れ制御部材を配設する位置がフィルタの上流側端面に近すぎると、流れ制御を確実に行うことができなくなるおそれがあるからである。一方、同部材を配設する位置がフィルタの上流側端面から遠くなりすぎると、却って流れ制御を確実に行うことができなくなるからである。これに加え、同部材を配設するためのにケーシングを大きくする必要性が生じ、装置全体の大型化につながるおそれもあるからである。
【手続補正８】
【補正対象書類名】明細書
【補正対象項目名】００１７
【補正方法】変更
【補正の内容】
【００１７】
請求項４，９に記載の発明によると、排気ガスの流れ方向に対して所定の角度をなす上流側端面に排気ガスが当たる結果、排気ガスの進行方向が変化する。そして、排気ガスはその面に案内されながら下流側へと流れる。
【手続補正９】
【補正対象書類名】明細書
【補正対象項目名】００１８
【補正方法】変更
【補正の内容】
【００１８】
請求項５，１０に記載の発明によると、このようなテーパ面に排気ガスが当たる結果、排気ガスの進行方向が変化する。そして、排気ガスはそのテーパ面に案内されながら、外周方向に向かって広がりつつ下流側へと流れる。
【手続補正１０】
【補正対象書類名】明細書
【補正対象項目名】００１９
【補正方法】変更
【補正の内容】
【００１９】
請求項６，１１に記載の発明によると、ケーシングの軸線方向からみた場合において、フィルタに対する排気ガス流れ制御部材の面積率を上記好適範囲に設定したことにより、流れ制御の確実化が図られる。つまり、前記面積率が小さすぎると、同部材の配設による効果が小さくなるからである。一方、前記面積率が大きすぎると、排気ガスにとって大きな障害物となるため、そもそもフィルタ側に充分な排気ガスが流れにくくなるからである。
【手続補正１１】
【補正対象書類名】明細書
【補正対象項目名】００５９
【補正方法】変更
【補正の内容】
【００５９】
【発明の効果】
以上詳述したように、請求項１〜１２に記載の発明によれば、ススの燃え残りをなくすことにより、フィルタの燃焼効率・捕集効率の向上等を図ることができる。
【手続補正１２】
【補正対象書類名】明細書
【補正対象項目名】００６０
【補正方法】変更
【補正の内容】
【００６０】
請求項２に記載の発明によれば、排気ガスの流れを制御しやすくなることで、ススの燃え残りを確実になくすことができる。請求項３，８に記載の発明によれば、流れ制御の確実化及び装置の大型化防止を図ることができる。
【手続補正１３】
【補正対象書類名】明細書
【補正対象項目名】００６１
【補正方法】変更
【補正の内容】
【００６１】
請求項４，５，９，１０に記載の発明によれば、排気ガスが案内されながら下流側へとスムーズに流れることができるため、これにより流れ制御の確実化を図ることができ、ススの燃え残りを確実になくすことができる。
【手続補正１４】
【補正対象書類名】明細書
【補正対象項目名】００６２
【補正方法】変更
【補正の内容】
【００６２】
請求項６，１１に記載の発明によれば、流れ制御の確実化が図られる結果、ススの燃え残りを確実になくすことができる。請求項１２に記載の発明によれば、フィルタ外周部からケーシング側へ熱が逃げ出しにくくなり、熱のロスが少なくなる。
【手続補正１５】
【補正対象書類名】図面
【補正対象項目名】図１１
【補正方法】変更
【補正の内容】
【図１１】
2000145429.tif 000001